(57)【要約】【課題】破砕されやすい研掃材を使用したエアブラストであっても加圧タンクへの棚吊りが早期に解除されるエアブラスト制御方法及び装置を提供する。【解決手段】加圧タンクを使用するエアブラストにあって、研掃材噴射の途中において加圧タンク内の加圧エア排気（停止）と供給（作動）を所定時間繰り返し行うことを特徴とするエアブラスト制御方法。【選択図】　　図１
2004009184.tif 000002
【特許請求の範囲】
【請求項１】
加圧タンクを使用するエアブラストにあって、研掃材噴射の途中において加圧タンク内への加圧エア供給と停止を所定時間繰り返し行うことを特徴とするエアブラスト制御方法。
【請求項２】
前記研掃材の噴射途中における加圧タン内への加圧エアの供給停止が１秒以内であることを特徴とする請求項１記載のエアブラスト制御方法。
【請求項３】
前記研掃材が、数回の循環使用により破砕されてしまう研掃材であることを特徴とする請求項１又は請求項２に記載のエアブラスト制御方法。
【請求項４】
前記研掃材が、溶融アルミナ、炭化珪素、砂、スラグであることを特徴とする請求項３に記載のエアブラスト制御方法。
【請求項５】
タンク内への加圧エア供給配管１と研掃材の圧送用加圧エア供給配管２とを備えた加圧タンク３と、該加圧タンク３の下端に設置されて研掃　材の流量調節と開閉の制御機能を持ったミキシングバルブと、該圧送用加圧エア供給配管２に圧送ホ−ス４を介して連通する研掃材噴射ノズル５と、前記加圧タンク３の上部に開閉可能にしてその下端部を連通されると共にその一側部を集塵機８の吸引ダクト９に連通されたセパレ−タ７と、前記研掃材噴射ノズル５の外周辺を包囲するブラシ付カバ−部材１０と、該ブラシ付カバ−部材１０と前記セパレ−タ７とを連通させる吸引ホ−ス１１と、を備えたエアブラスト装置にあって、前記加圧タンク３内の加圧エアの供給及び停止を所定時間繰り返す操作回路に手元スイッチを介して切り替え可能にされていることを特徴とするエアブラスト装置。
【発明の詳細な説明】
【０００１】
【発明の属する技術分野】
本発明は、加圧タンクを使用したいわゆるエアブラストの制御方法及び装置に関する。
【０００２】
【従来の技術】
従来、上記のような加圧タンクを使用したエアブラストには研掃材としてアルミナ、人工砂、珪砂、その他鉱物の粉砕片等が用いられる。
【０００３】
【発明が解決しようとする課題】
上記のような研掃材の中には衝突により破砕され易いものがあり、数回の循環使用により破砕されてしまうものがある。このような破砕された細粒子を含む研掃材は加圧タンク内で棚吊りを起こし、研掃材が流出されたにくくなり、噴射中に研掃　材がつまったり、脈動したりして、ブラスト作業が中断してしまう問題があった。またこの棚吊りを解除するには、運転を停止してタンク内の研掃材の粒度調節や一部研掃材の入れ替えなど、長い時間と手間がかかる厄介な作業が必要であった。
本発明は上記の問題に鑑みて成されたもので、破砕されやすい研掃材を使用したエアブラストであっても加圧タンクへの棚吊りが早期に解除されるエアブラスト制御方法及び装置を提供することを目的とする。
【０００４】
【課題を解決するための手段】
上記の目的を達成するために本発明におけるエアブラスト制御方法は、加圧タンクを使用するエアブラストにあって、研掃材噴射の途中において加圧タンク内への加圧エア供給と停止を所定時間繰り返し行うことを特徴とし、特に前記研掃材の噴射途中における加圧タン内の加圧エア供給の停止が１秒以内であることを特徴とする。
【０００５】
本発明における研掃材は、衝突により破砕され易いものが対象であって、好ましくは数回の循環使用により破砕され細粒子、粉塵になりやすい研掃材をいう。より具体的には、溶融アルミナ、炭化珪素、砂、スラグが該当する。
【０００６】
また本発明におけるエアブラスト装置は、タンク内への加圧エア供給配管と研掃材の圧送用加圧エア供給配管とを備えた加圧タンクと、該加圧タンクの下端に設置されて研掃材の流量調節と開閉の制御機能を持ったミキシングバルブと、該圧送用加圧エア供給配管に圧送ホ−スを介して連通する研掃材噴射ノズルと、前記加圧タンクの上部に開閉可能にしてその下端部を連通されると共にその一側部を集塵機の吸引ダクトに連通されたセパレ−タと、前記研掃材噴射ノズルの外周辺を包囲するブラシ付カバ−部材と、該ブラシ付カバ−部材と前記セパレ−タとを連通させる吸引ホ−スと、を備えたエアブラスト装置にあって、前記加圧タンク内への加圧エアの供給及び停止を所定時間繰り返す操作回路に手元スイッチを介して切り替え可能にされていることを特徴とする。
【０００７】
【発明の実施の形態】
以下本発明の実施の形態を図面に基づいて詳しく説明する。図１において中央部にはタンク内への加圧エア供給配管１と、研掃材の圧送用加圧エア供給配管２及び排気弁等を備えた加圧タンク３が設置されていて、該圧送用加圧エア供給配管２は加圧タンク３の下端に設置されたミキシングバルブ１２及び圧送ホ−ス４を介して研掃材噴射ノズル５が連通されている。
【０００８】
また前記加圧タンク３の上部には、その下端部に開閉弁６を配設したセパレ−タ７が連通され、該セパレ−タ７の一側部は集塵機８の吸引ダクト９に連通されている。
さらに前記研掃材噴射ノズル５の外周辺は、下端周縁をブラシで構成したブラシ付カバ−部材１０により包囲して覆われている。
【０００９】
また前記セパレ−タ７の他側部と該ブラシ付カバ−部材１０とは吸引ホ−ス１１を介して連通されて、前記集塵機８の吸引作動によりブラシ付カバ−部材１０内のエア、研掃材、粉塵等を吸引ホ−ス１１を介してセパレ−タ７に回収し、粉塵は集塵機８に回収されるように構成されている。さらに前記加圧タンク３内の加圧エアの供給（作動）及び排気（停止）を所定時間繰り返す操作回路に、ブラシ付カバ−部材１０近辺に配置（図示されない）された手元スイッチを介して切り替え可能にされている。
なお、前記加圧タンク３内の加圧エアの作動及び停止を所定時間繰り返す操作回路は、手元スイッチ、図示されていないタイマー、タンク排気バルブ及びショット噴射バルブに電気的に接続されている。また、タイマーの時間調節が可能になっているため、ショット噴射時間と停止時間をショット噴射バルブによって作動させることができる。
【００１０】
このように構成されたものは、図１の状態でブラシ付カバ−部材１０を被研掃位置に押し当て移動させながら手元スイッチをＯＮに切り替えて、図示されてない噴射バルブにより、加圧エアを加圧エア供給配管１を介して加圧タンク３内及び圧送用加圧エア供給配管２を介し圧送ホ−ス４に供給し、研掃作業を開始する。
【００１１】
そして、手元スイッチをＯＮに切り替えて研掃作業を開始すると、図示していないタイマーにより、加圧タンク３内への空気供給と停止をショット噴射バルブによって所定時間繰り返し行う。
これにより加圧タンク３内で棚吊りをはじめた研掃材が棚吊りを解除されて通常の噴射状態に戻される。したがってスチ−ルショットなどの研掃材のように加圧タンク３内で研掃材が棚吊りを起こすことがなくなる。このような操作を経て研掃材の噴射が安定して成されてゆく。そして、所定の研掃作業の終了のためには、再び、手元スイッチをＯＦＦに切り替えて研掃作業を終了する。このとき図示されていない排気バルブにより加圧タンク３内の空気を排気する。
【００１２】
なお、加圧タンク３内の空気供給の停止は１秒以内が好適である。ただし０．５秒より短くなると棚つりが崩壊できずに研掃材が閉塞しやすくなる。また、１秒より長くなると噴射村ムラが生じることから研掃作業の効率が落ちる。したがって、好ましくは０．５秒以上１秒以下の停止時間が、およそ１分から２分の作業時間と交替し、およそ５分から１０分の研掃時間の間に、１回ないし繰り返して行われることが好ましい。
【００１３】
【発明の効果】
本発明は上記の説明から明らかなように、加圧タンクを使用するエアブラストにあって、研掃材噴射の途中において加圧タンク内への加圧エア供給と停止を所定時間繰り返し行うようにしたから、破砕され易い研掃材を使用する場合において、加圧タンク内で研掃材が棚吊りを起こすことがなくなり、従来の問題を解決できる効果がある。
【図面の簡単な説明】
【図１】エアブラスト装置の全体構成図である。
【符号の説明】
３　加圧タンク
４　圧送ホ−ス
５　研掃材噴射ノズル
７　セパレ−タ
８　集塵機
９　吸引ダクト
１０　ブラシ付カバ−部材
１１　吸引ホ−ス
１２　ミキシングバルブ
【図１】
2004009184.tif 000003